(57)【要約】【課題】電気機器収納用箱体の内部に設けられる照明装置であって、少ないスペースで取り付け可能であって、自由に作業者の思う箇所を照らすことが可能で、少ない部品数で構成される照明ユニットを提供することにある。【解決手段】電気機器収納用箱体の内部に設けられる照明装置であって、平板状の長板部を部分的に延長して折曲させて設けた長板折曲片と、この長板折曲片に当接して回動可能に設けられる平板状の平板部と、平板部を折曲させて設けた平板折曲片と、平板折曲片に当接して回動可能に設けられる照明部とからなり、照明部は開口を設けると共に開口を透過部材によって塞いだ箱体に光源を収納して形成される。【選択図】図１
2009199839.tif 000002
【特許請求の範囲】
【請求項１】
電気機器収納用箱体の内部に設けられる照明装置であって、平板状の長板部を部分的に延長して折曲させて設けた長板折曲片と、該折曲片に当接して回動可能に設けられる平板状の平板部と、該平板部を折曲させて設けた平板折曲片と、該平板折曲片に当接して回動可能に設けられる照明部とからなり、該照明部は開口を設けると共に該開口を透過部材によって塞いだ箱体に光源を収納して形成されることを特徴とする照明ユニット。
【請求項２】
前記照明ユニットにおいて、照明部の点灯・消灯の切り替えを可能にした切替構造を設けたことを特徴とする請求項１に記載の照明ユニット。
【発明の詳細な説明】
【技術分野】
【０００１】
本発明は、電気機器収納用箱体の内部に設けられる照明ユニットに関するものである。
【背景技術】
【０００２】
従来、データセンター等において情報通信キャビネット等の電気機器収納用箱体に搭載された機器のメンテナンスは、室内に設置されている蛍光灯等の照明によってなされている。又、これら照明はセキュリティーのため常に点灯状態である場合が多い。
【０００３】
そのため、電力の使用量が嵩みコストがかかっており、又、ＩＳＯ  １４００１等において省エネルギー化が進められていることも加え、電力使用量を押さえる必要があった。
【０００４】
この改善策として、データセンター等のセキュリティー上、問題にならない程度の照明を削減し、特許文献１に記載されているような薄型の照明を電気機器収納用箱体自体に取り付けることが考えられる。
【０００５】
又、懐中電灯等の小型の携帯できる照明を用いることが考えられる。
【特許文献１】特開２００３−２２６６７
【発明の開示】
【発明が解決しようとする課題】
【０００６】
しかしながら、電気機器収納用箱体自体に照明を取り付ける場合、このためのスペースが必要となるため、電気機器収納用箱体に搭載する機器の数を減らす必要があるという欠点ある。
【０００７】
又、懐中電灯等の携帯できる小型の照明を用いる場合、携帯をし忘れる恐れがあるという欠点がある。
【０００８】
又、携帯できる小型の照明を使用している間は片手が使えなくという欠点がある。加えて、両手が使えるように携帯できる小型の照明を固定しておく固定具の設置も考えられるが、そのためにスペースを必要とし、部材が増えるためコストがかかるという欠点がある。
【０００９】
このため、本発明によって解決しようとする課題は、電気機器収納用箱体の内部に設けられる照明装置であって、少ないスペースで取り付け可能であって、自由に作業者の思う箇所を照らすことが可能な、少ない部品数で構成される照明ユニットを提供することにある。
【課題を解決するための手段】
【００１０】
上記した課題を解決するためになされた本発明の照明ユニットは、電気機器収納用箱体の内部に設けられる照明装置であって、平板状の長板部を部分的に延長して折曲させて設けた長板折曲片と、この長板折曲片に当接して回動可能に設けられる平板状の平板部と、平板部を折曲させて設けた平板折曲片と、平板折曲片に当接して回動可能に設けられる照明部とからなり、照明部は開口を設けると共に開口を透過部材によって塞いだ箱体に光源を収納して形成されるものである。
【発明の効果】
【００１１】
本発明の照明ユニットによれば、照明部が回動可能に設けられているため、電気機器収納用箱体のメンテナンス作業時等において自由に作業者の思う箇所を照らすことが可能である。
【００１２】
又、メンテナンス作業等のために照明の必要となる電気機器収納用箱体にのみ取り付ければ良く、室内に使用する照明を最小限に抑えられるため、電力の使用量を削減することが可能である。
【００１３】
又、平板部が回動可能に設けられているため縦方向、又は横方向への照射が可能である。
【発明を実施するための最良の形態】
【００１４】
本発明では、電気機器収納用箱体の内部に設けられる照明装置を少ない部品数、組立工程数で可能にした。
【実施例１】
【００１５】
以下、本発明の実施の形態を説明する。
電気機器収納用箱体の内部に設けられる照明装置であって、平板状の長板部１、１１を部分的に延長して折曲させて設けた長板折曲片２、１２と、この長板折曲片２、１２に当接して回動可能に設けられる平板状の平板部３、１３と、平板部３、１３を折曲させて設けた平板折曲片４、１４と、平板折曲片４、１４に当接して回動可能に設けられる照明部５、１５とからなり、照明部５、１５は開口６、１６を設けると共に開口６、１６を透過部材７、１７によって塞いだ箱体に光源を収納して形成される。長板折曲片２、１２と平板部３、１３、平板折曲片４、１４と照明部５、１５はローレットネジ８、１８等を用いることで工具を使わずに組み立てることが可能となる。又、照明部５、１５に収納される光源をＬＥＤで構成することにより、スペースを小さくすることができ、使用電力量も抑えることができることに加えて、光源として蛍光灯を用いた際の地震等による蛍光灯の破損から機器が傷付く恐れを少なくすることができる。又、光源として寿命の長いＬＥＤを用いることで取替えなどの手間を減らすことが可能となる。
【実施例２】
【００１６】
電気機器収納用箱体の内部に設けられる照明装置であって、平板状の長板部２１を部分的に二箇所延長して一方は折曲を繰り返してケーブルホルダー部２９を形成し、他方は折曲させて長板折曲片２２を設け、この長板折曲片２２に当接して回動可能に設けられる平板状の平板部２３と、平板部２３を折曲させて設けた平板折曲片２４と、平板折曲片２４に当接して回動可能に設けられる照明部２５とからなり、照明部２５は開口２６を設けると共に開口２６を透過部材２７によって塞いだ箱体に光源を収納して形成される。長板部２１によってケーブルホルダー部２９を設けることで、照明ユニットへの配線や、その他の機器への配線を整線することができ、メンテナンス性の向上を図ることができる。長板折曲片２２と平板部２３、平板折曲片２４と照明部２５はローレットネジ２８等を用いることで工具を使わずに組み立てることが可能となる。又、照明部２５に収納される光源をＬＥＤで構成することにより、スペースを小さくすることができ、使用電力量も抑えることができることに加えて、光源として蛍光灯を用いた際の地震等による蛍光灯の破損から機器が傷付く恐れを少なくすることができる。又、光源として寿命の長いＬＥＤを用いることで取替えなどの手間を減らすことが可能となる。
【００１７】
以上のように、本発明の照明ユニットは、電気機器収納用箱体の内部に設けられる照明装置であって、回動可能に設けることで作業者が照射したい箇所を照射することができ、少ない部品数、組み立て工程数で構成される照明ユニットを提供できるものである。
【図面の簡単な説明】
【００１８】
【図１】本発明の実施例１における、照明ユニットの分解斜視図である。
【図２】本発明の実施例１における、照明ユニットで縦方向を照射する際の斜視図である。
【図３】本発明の実施例２における、ケーブルホルダー部を設けた照明ユニットの斜視図である。
【符号の説明】
【００１９】
１、１１、２１    長板部
２、１２、２２    長板折曲片
３、１３、２３    平板部
４、１４、２４    平板折曲片
５、１５、２５    照明部
６、１６、２６    開口
７、１７、２７    透過部材
８、１８、２８    ローレットネジ
２９    ケーブルホルダー部
【図１】
2009199839.tif 000003
【図２】
2009199839.tif 000004
【図３】
2009199839.tif 000005